(57)【特許請求の範囲】
【請求項１】
槽体１と、
槽体１底部に開口した排水口２と、
排水口２を開口・閉口するための弁体３と、
弁体３の動作を操作する操作部４と、
操作部４と弁体３とを連結して、操作部４の動力を弁体３へと伝達するレリースワイヤ５と、
槽体１の下方であって、排水口２の直下に配置して、その内部を前記レリースワイヤ５が通過するように構成され、更に槽体１内の排水を下水へと排水する排水部材６と、
から構成される遠隔操作式排水栓装置において、
前記排水部材６に、レリースワイヤ５を排水口２方向へガイドさせるガイド部６ａを構成し、
前記レリースワイヤ５は排水部材６内部に挿通された後、前記ガイド部６ａによって排水口２へとガイドされ、弁体３と連結されることを特徴とした遠隔操作式排水栓装置。
【請求項２】
槽体１と、
槽体１底部に開口した排水口２と、
排水口２を開口・閉口するための弁体３と、
弁体３の動作を操作する操作部４と、
操作部４と弁体３とを連結して、操作部４の動力を弁体３へと伝達するレリースワイヤ５と、
槽体１の下方であって、排水口２の直下に配置して、その内部を前記レリースワイヤ５が通過するように構成され、更に槽体１内の排水を下水へと排水する排水部材６と、
排水部材６に構成された、前記レリースワイヤ５を排水部材６内部に導入するために構成された枝管７と、
から構成される遠隔操作式排水栓装置において、
前記枝管７の入口に、枝管７部分の段差を乗り越える為の乗り越え機構７ａを構成したことを特徴とする遠隔操作式排水栓装置。
【請求項３】
槽体１と、
槽体１底部に開口した排水口２と、
排水口２を開口・閉口するための弁体３と、
弁体３の動作を操作する操作部４と、
操作部４と弁体３とを連結して、操作部４の動力を弁体３へと伝達するレリースワイヤ５と、
槽体１の下方であって、排水口２の直下に配置して、その内部を前記レリースワイヤ５が通過するように構成され、更に槽体１内の排水を下水へと排水する排水部材６と、
排水部材６に構成された、前記レリースワイヤ５を排水部材６内部に導入するために構成された枝管７と、
から構成される遠隔操作式排水栓装置において、
前記排水部材６に、レリースワイヤ５を排水口２方向へガイドさせるガイド部６ａを構成し、更に前記枝管７の入口に、枝管７部分の段差を乗り越える為の乗り越え機構７ａを構成したことを特徴とする遠隔操作式排水栓装置。
【請求項４】
前記ガイド部６ａを、斜め上方に傾斜させて構成したことを特徴とする前記請求項１又は請求項３のいずれか一つに記載の遠隔操作式排水栓装置。
【請求項５】
前記ガイド部６ａを、排水部材６の底面に構成したことを特徴とする前記請求項１又は請求項３乃至請求項４のいずれか一つに記載の遠隔操作式排水栓装置。
【請求項６】
前記レリースワイヤ５を排水部材６内部に導入する為に前記排水部材６に枝管７を構成し、前記ガイド部６ａを、該枝管７に構成したことを特徴とする前記請求項１又は請求項３乃至請求項４のいずれか一つに記載の遠隔操作式排水栓装置。
【請求項７】
前記レリースワイヤ５を排水部材６内部に導入する為に前記排水部材６に枝管７を構成し、該枝管７を傾斜することによってガイド部６ａとしたことを特徴とする前記請求項１又は請求項３乃至請求項４のいずれか一つに記載の遠隔操作式排水栓装置。
【請求項８】
前記排水口２に排水口２と排水部材６を接続する為の排水栓２ａを設け、当該排水栓２ａにガイド部６ａを構成したことを特徴とする前記請求項１又は請求項３乃至請求項４のいずれか一つに記載の遠隔操作式排水栓装置。
【請求項９】
前記枝管７に、死水対策用の水抜き部６ｃを構成したことを特徴とする前記請求項３乃至請求項４及び請求項６乃至請求項７のいずれか一つに記載の遠隔操作式排水栓装置。
【請求項１０】
前記乗り越え機構７ａが傾斜によって構成されることを特徴とする前記請求項２又は請求項３のいずれか一つに記載の遠隔操作式排水栓装置。
【請求項１１】
前記乗り越え機構７ａが螺旋形状であって、当該螺旋形状は枝管７の最底部から傾斜が始まり少なくとも枝管７の厚み以上の高さまで構成されていることを特徴とする前記請求項２又は請求項３のいずれか一つに記載の遠隔操作式排水栓装置。
【発明の詳細な説明】
【技術分野】
【０００１】
本発明は、槽体の排水口を遠隔的に操作して開口／閉口する遠隔操作式排水栓装置に関する技術である。
【背景技術】
【０００２】
図１７に示した従来例の遠隔操作式排水栓装置は、槽体としての浴槽と、排水口と、弁体と、操作部と、レリースワイヤと、排水部材と、から構成される。
浴槽は、箱体であって、内部に水を貯水／排水することができる槽体である。また、浴槽底部には、排水口が開口されて成る。
排水口は、浴槽底部に開口される穴であって、後述する弁体及びレリースワイヤの端部が配置される。また、排水口から、槽体内の水を槽体外へ排水させることができる。本従来例では排水口に、円筒状であって、上端部に外側方向へ凸出して構成されるフランジと、円筒の外周面に雄ねじを構成した排水栓がナットなどで排水口に取り付けられる。当該排水口内部には、後述するレリースワイヤが排水口内中央に位置固定されるよう、ワイヤー受け部材を構成して成る。
弁体は、水密パッキンが配置される止水弁であって、排水口に配置され、自身の上下動作用により排水口の開口／閉口を行う部材である。
操作部は、浴槽上縁部に構成される押しボタンであって、前記排水口の弁体を上昇、下降させる部材である。本従来例では、操作部内に、レリースワイヤのインナーワイヤの進退を保持／解除する機能を有したスラストロック機構を構成して成る。
レリースワイヤは、可撓性の中空状管体からなるアウターチューブと、アウターチューブ内を進退自在に動作する金属コイル状のインナーワイヤと、から構成される。また、当該レリースワイヤは、一方の端部を操作部に、他端を排水口内の中央に配置して弁体に接続される。またレリースワイヤの先端は排水口内に配置固定させるために、ワイヤー受け部材などで固定して配置される。
排水部材は、槽体下方に配置され、尚かつ排水口に接続されている部材であり、本実施例では断面視Ｌ字状のエルボ管が設置されており、当該エルボ管は排水パイプや排水トラップを介して最終的には下水管へと接続される。また、当該排水部材にはレリースワイヤ挿通用の枝管が複数構成されており、操作部の位置やレリースワイヤの配置により適宜枝管を選択して挿通させて、使用しない枝管は蓋などで密閉する。また、レリースワイヤの先端は排水口内に配置固定させるために、ワイヤー受け部材などで固定して配置される。
【０００３】
上記したような従来の遠隔操作式排水栓装置は以下のように取り付けられる。
浴槽の排水口に排水栓を取付け、排水栓に排水部材としてのエルボ管を接続固定する。さらに浴槽上縁部に操作部を取付固定し、操作部と排水部材の枝管までをホースによって接続する。そして、操作部からレリースワイヤを挿入すると、ホースがガイドとなって排水部材側まで介することができる。排水部材まで挿通されたレリースワイヤは、浴槽の上方から排水口を介してペンチなどでレリースワイヤを排水口より上まで引き上げ、レリースワイヤ端部とワイヤー受け部材を接続してから排水口の排水栓内にワイヤー受け部材を取り付ける。そして、排水口側のレリースワイヤ端部に弁体を取り付けて施工が終了する。
【０００４】
ここで、前記した従来例の遠隔操作式排水栓装置の作用を説明する。操作部を押動すると、レリースワイヤのインナーワイヤがアウターチューブ内で前進し、インナーワイヤの前進に伴ってレリースワイヤ排水口の弁体が排水栓から上昇する。そして、操作部の保持機構によりインナーワイヤの前進は保持される。また、操作部を再度押動すると、レリースワイヤのインナーワイヤがわずかに前進し、操作部の保持機構の保持を解除することとなる。保持を解除されたインナーワイヤは、リターンスプリングの弾発力により後退することとなる。そうすると、インナーワイヤが後退した分、弁体も共に降下し、弁体が排水口を閉口することができる。今後、このように操作部の押動の繰り返しにより弁体が上下動することによって、排水口を遠隔的に開口／閉口することができる。
【０００５】
ここで、前記した従来例の遠隔操作式排水栓装置の排水の流れを説明する。
弁体が降下して排水口に着座している際は排水口は閉塞しているため、浴槽内に水を貯水することができる。そして、弁体が上昇して排水口が開栓すると、浴槽内の水は排水栓と排水口を介して排水部材内に流入する。その後、排水部材内の排水は洗い場排水口に設置している排水トラップを介して最終的には下水管へと排水されることとなる。以後、弁体の上下動による排水口の開口／閉口によって、浴槽内の排水の貯水／排水を行うことが出来る。
【先行技術文献】
【特許文献】
【０００６】
【特許文献１】特許第３１６８４０１号公報
【発明の開示】
【発明が解決しようとする課題】
【０００７】
前述したような従来の遠隔操作式排水栓装置を取り付ける際、以下のような問題があった。
取付者は狭い浴槽上から小さい排水口の穴にペンチなどを使用してレリースワイヤを引き上げなければならないが、排水部材を例えば排水トラップなどの高さがある部材にて採用した場合、レリースワイヤを排水口から引き上げる際には排水口から引き上げる高さが深くなる為、ペンチなどが届かないことや、排水口内に手が届かないことがあり、取付ができないことが多々あった。
また、排水部材には当然肉厚が存在するが、レリースワイヤを操作部から排水口直下まで挿通させる際、ホース内部をレリースワイヤのガイドとして活用させているため、ホースが排水部材の枝管の外周に嵌合接続されていることからホース内周と枝管内周面との間に枝管の肉厚分の高さが生じてしまい、レリースワイヤの挿通時に、当該肉厚高さにレリースワイヤの先端が引っ掛かってしまうので、なかなか排水部材内に挿通出来ないことがあった。
上記のような従来の遠隔操作式排水栓装置は、取付の際に問題点が多く、非常に取り付けにくく、施工上問題があった。
【０００８】
以上のことから、本願発明は以下の課題を解決することを目的とする。
１．排水部材が深さ（高さ）がある構造体の場合でも、簡単に排水口からレリースワイヤを引き上げることが出来る遠隔操作式排水栓装置を提供する。
２．枝管の肉厚によるレリースワイヤの挿通時の引っ掛かりを無くし、円滑に排水部材内に挿入することが出来る遠隔操作式排水栓装置を提供する。
【課題を解決するための手段】
【０００９】
本発明の請求項１に記載の遠隔操作式排水栓装置は、槽体１と、槽体１底部に開口した排水口２と、排水口２を開口・閉口するための弁体３と、弁体３の動作を操作する操作部４と、操作部４と弁体３とを連結して、操作部４の動力を弁体３へと伝達するレリースワイヤ５と、槽体１の下方であって、排水口２の直下に配置して、その内部を前記レリースワイヤ５が通過するように構成され、更に槽体１内の排水を下水へと排水する排水部材６と、から構成される遠隔操作式排水栓装置において、前記排水部材６に、レリースワイヤ５を排水口２方向へガイドさせるガイド部６ａを構成し、前記レリースワイヤ５は排水部材６内部に挿通された後、前記ガイド部６ａによって排水口２へとガイドされ、弁体３と連結されることを特徴とした遠隔操作式排水栓装置である。
【００１０】
本発明の請求項２に記載の遠隔操作式排水栓装置は、槽体１と、槽体１底部に開口した排水口２と、排水口２を開口・閉口するための弁体３と、弁体３の動作を操作する操作部４と、操作部４と弁体３とを連結して、操作部４の動力を弁体３へと伝達するレリースワイヤ５と、槽体１の下方であって、排水口２の直下に配置して、その内部を前記レリースワイヤ５が通過するように構成され、更に槽体１内の排水を下水へと排水する排水部材６と、排水部材６に構成された、前記レリースワイヤ５を排水部材６内部に導入するために構成された枝管７と、から構成される遠隔操作式排水栓装置において、前記枝管７の入口に、枝管７部分の段差を乗り越える為の乗り越え機構７ａを構成したことを特徴とする遠隔操作式排水栓装置である。
【００１１】
本発明の請求項３に記載の遠隔操作式排水栓装置は、槽体１と、槽体１底部に開口した排水口２と、排水口２を開口・閉口するための弁体３と、弁体３の動作を操作する操作部４と、操作部４と弁体３とを連結して、操作部４の動力を弁体３へと伝達するレリースワイヤ５と、槽体１の下方であって、排水口２の直下に配置して、その内部を前記レリースワイヤ５が通過するように構成され、更に槽体１内の排水を下水へと排水する排水部材６と、排水部材６に構成された、前記レリースワイヤ５を排水部材６内部に導入するために構成された枝管７と、から構成される遠隔操作式排水栓装置において、前記排水部材６に、レリースワイヤ５を排水口２方向へガイドさせるガイド部６ａを構成し、更に前記枝管７の入口に、枝管７部分の段差を乗り越える為の乗り越え機構７ａを構成したことを特徴とする遠隔操作式排水栓装置である。
【００１２】
本発明の請求項４に記載の遠隔操作式排水栓装置は、前記ガイド部６ａを、斜め上方に傾斜させて構成したことを特徴とする前記段落０００９又は段落００１１のいずれか一つに記載の遠隔操作式排水栓装置である。
【００１３】
本発明の請求項５に記載の遠隔操作式排水栓装置は、前記ガイド部６ａを、排水部材６の底面に構成したことを特徴とする前記段落０００９又は段落００１１乃至段落００１２のいずれか一つに記載の遠隔操作式排水栓装置である。
【００１４】
本発明の請求項６に記載の遠隔操作式排水栓装置は、前記レリースワイヤ５を排水部材６内部に導入する為に前記排水部材６に枝管７を構成し、前記ガイド部６ａを、該枝管７に構成したことを特徴とする前記段落０００９又は段落００１１乃至段落００１２のいずれか一つに記載の遠隔操作式排水栓装置である。
【００１５】
本発明の請求項７に記載の遠隔操作式排水栓装置は、前記レリースワイヤ５を排水部材６内部に導入する為に前記排水部材６に枝管７を構成し、該枝管７を傾斜することによってガイド部６ａとしたことを特徴とする前記段落０００９又は段落００１１乃至段落００１２のいずれか一つに記載の遠隔操作式排水栓装置である。
【００１６】
本発明の請求項８に記載の遠隔操作式排水栓装置は、前記排水口２に排水口２と排水部材６を接続する為の排水栓２ａを設け、当該排水栓２ａにガイド部６ａを構成したことを特徴とする前記段落０００９又は段落００１１乃至段落００１２のいずれか一つに記載の遠隔操作式排水栓装置である。
【００１７】
本発明の請求項９に記載の遠隔操作式排水栓装置は、前記枝管７に、死水対策用の水抜き部６ｃを構成したことを特徴とする前記段落００１１乃至段落００１２、及び段落００１４乃至段落００１５に記載の遠隔操作式排水栓装置である。
【００１８】
本発明の請求項１０に記載の遠隔操作式排水栓装置は、前記乗り越え機構７ａが傾斜によって構成されることを特徴とする前記段落００１０又は段落００１１のいずれか一つに記載の遠隔操作式排水栓装置である。
【００１９】
本発明の請求項１１に記載の遠隔操作式排水栓装置は、前記乗り越え機構７ａが螺旋形状であって、当該螺旋形状は枝管７の最底部から傾斜が始まり少なくとも枝管７の厚み以上の高さまで構成されていることを特徴とする前記段落００１０又は段落００１１のいずれか一つに記載の遠隔操作式排水栓装置である。
【発明の効果】
【００２０】
請求項１に記載の本発明は、前記排水部材６に、レリースワイヤ５を排水口２方向へガイドさせるガイド部６ａを構成したことにより、排水部材６が深い（高さがある）場合であっても、レリースワイヤ５がガイド部６ａにより排水口２方向へガイドされているため、簡単に排水口２から取り出すことが出来るため、取付が簡単にできるようになった。
請求項２に記載の本発明は、前記枝管７の入口に、枝管７部分の段差を乗り越える為の乗り越え機構７ａを構成したことから、取付時における、レリースワイヤ５の挿通時の引っかかりを相当軽減する事が出来るため、取付が簡単に出来るようになった。
請求項３に記載の本発明は、前記排水部材６に、レリースワイヤ５を排水口２方向へガイドさせるガイド部６ａを構成し、更に前記枝管７の入口に、枝管７部分の段差を乗り越える為の乗り越え機構７ａを構成したことから、排水部材６が深い（高さがある）場合であっても、レリースワイヤ５がガイド部６ａにより排水口２方向へガイドされているため、簡単に排水口２から取り出すことが出来るため、取付が簡単にできるようになった。また、取付時における、レリースワイヤ５の挿通時の引っかかりを相当軽減する事が出来るため、取付が簡単に出来るようになった。
請求項４に記載の本発明は、前記ガイド部６ａを、斜め上方に傾斜させて構成したことにより、レリースワイヤ５がより少ない曲がりで軽い力によって簡単に排水口２側へガイドすることができるので、より簡単に取り付けることができるようになった。
請求項５に記載の本発明は、前記ガイド部６ａを、排水部材６の底面に構成したことにより、ガイド部６ａを簡単に構成する事が出来るようになった。
請求項６に記載の本発明は、前記レリースワイヤ５を排水部材６内部に導入する為に前記排水部材６に枝管７を構成し、前記ガイド部６ａを、該枝管７に構成したことから、ガイド部６ａの斜めの傾斜勾配をより緩やかに構成する事ができるので、レリースワイヤ５の曲げ角度も大きくできるため、レリースワイヤ５をより少ない力でガイドすることができるようになった。
請求項７に記載の本発明は、枝管７を傾斜させることによってガイド部６ａを構成したことにより、ガイド部６ａを簡単に構成する事が出来るようになった上に、ガイド部６ａと排水部材６が一体的に構成されるので、部材点数を減少させることが出来る。
請求項８に記載の本発明は、排水栓２ａにガイド部６ａを構成したことにより、ガイド部６ａを簡単に構成する事が出来るようになった。
請求項９に記載の本発明は、死水用の水抜き部６ｃを構成したことにより、ガイド部６ａを傾斜させて構成した場合にでも死水（流れない水）が発生せず、すべての排水が円滑に下水管側へと適正に排水されることとなる。
請求項１０に記載の本発明は、前記乗り越え機構７ａが傾斜によって構成されることにより、レリースワイヤ５が枝管７を乗り越える際に、傾斜によってスムーズに乗り越えることができる為、より簡単にレリースワイヤ５を排水部材６内に挿通し易くなった。
請求項１１に記載の本発明は、前記乗り越え機構７ａが螺旋形状であって、当該螺旋形状は枝管７の最底部から傾斜が始まり少なくとも枝管７の厚み以上の高さまで構成されていることから、レリースワイヤ５が枝管７を乗り越える際に、螺旋形状によってスムーズに乗り越えることができる為、より簡単にレリースワイヤ５を排水部材６内に挿通し易くなった。また、螺旋形状の末端までレリースワイヤ５が乗り越えると、それ以上は乗り越える螺旋が構成されていないため下方に落下することととなる。このようにすることで、レリースワイヤ５が乗り越え機構７ａを乗り越え終えた時に、スムーズに枝管７内にレリースワイヤ５が落下するためより簡単に枝管７内にレリースワイヤ５を挿通することができる。
【図面の簡単な説明】
【００２１】
【図１】本発明の実施の形態を示す図７におけるＢ−Ｂ’断面図である。
【図２】本発明の施工状態を示す説明図である。
【図３】本発明の施工状態を示す説明図である。
【図４】本発明の施工状態を示す説明図である。
【図５】本発明の実施の形態を示す図７におけるＡ−Ａ’断面図である。
【図６】本発明の実施の形態を示す側面図である。
【図７】本発明の実施の形態を示す上面図である。
【図８】本発明の施工状態を示す説明図である。
【図９】本発明の施工状態を示す説明図である。
【図１０】本発明の施工状態を示す説明図である。
【図１１】本発明の施工状態を示す説明図である。
【図１２】本発明の実施の形態における枝管部分の部分拡大斜視図である。
【図１３】本発明の実施の形態における枝管部分の部分拡大斜視図である。
【図１４】本発明のその他の実施例を示す断面図である。
【図１５】本発明のその他の実施例を示す断面図である。
【図１６】本発明のその他の実施例を示す断面図である。
【図１７】従来例を示す断面図である。
【発明を実施するための形態】
【００２２】
図１に示した浴室における浴槽に、本実施例の遠隔操作式排水栓装置が用いられる。
本実施例の遠隔操作式排水栓装置は、図１乃至図１３に示すように、槽体１としての浴槽１と、排水口２と、弁体３と、操作部４と、レリースワイヤ５と、排水部材６と、から構成される。
浴槽１は、内部に水を貯水／排水する箱体であって、底部には排水口２が開口、浴槽１上縁部には操作部４が構成されてなる。
排水口２は、浴槽１の最底部に開口された穴であって、浴槽１内の水を浴槽１外に排水するための開口である。また、本実施例では、外周に雄ねじを螺刻した円筒であって上端外側方向に凸出したフランジを備える排水栓２ａを当該排水口２に設置し、後述するレリースワイヤ５の端部を排水口２中心部に配置するワイヤー受け部材８を構成ワイヤー受け部材８を着脱自在に取り付けてなる。また、排水栓２ａ内周にはワイヤー受け部材８が取り付けられる段が構成されている。当該ワイヤー受け部材８は円筒状であって、円筒内周から支出して構成されるアームを介して中央にレリースワイヤ５を固定する固定部を構成し、前述した排水栓２ａ内周の段に係合するための係合脚を構成する。
弁体３は、レリースワイヤ５の排水口２側端部に脱着自在に取り付けられる止水弁であって、前記排水口２の排水栓２ａ上に着座するように配置構成される。
操作部４は、浴槽１上縁部に配置される押し釦であって、レリースワイヤ５が接続される。当該操作部４の押し釦を押動操作することによって排水口２の弁体３の上下動を遠隔的に操作することが出来る。
レリースワイヤ５は、可撓性の中空状管体からなるアウターチューブ５ａと、アウターチューブ５ａ内を進退自在に動作する金属コイル状のインナーワイヤ５ｂと、から構成される。また、当該レリースワイヤ５は、一方の端部を操作部４に、他端を排水口２内の中央に配置して弁体３に接続される。またレリースワイヤ５の先端は排水口２内に配置固定させるために、前記ワイヤー受け部材８によって排水口２中央に固定して配置される。
排水部材６は、本実施例では排水トラップであって、上流は前述した排水口２に接続され、下流は下水管に接続されている。尚、排水トラップは封水という排水を一部貯水することにより下水からの異臭や害虫の室内側への逆流を防止する部材であり、当該封水を内部に形成しなければならないことから、封水深（規格により封水深の高さは決まっている）以上の高さが排水部材６には必要となる。当該排水部材６は排水口２以外からの別流路からの排水を排水部材６内へ流入させたり、前記レリースワイヤ５を排水部材６内に導入させるために枝管７を複数個構成している。なお、本実施例においては、枝管７の外周に嵌合接続された内部が中空のホース９によって操作部４まで接続される。また、図１２又は図１３に示すように、枝管７の肉厚部分には乗り越え機構７ａが構成されており、当該乗り越え機構７ａは、枝管７の端部の最底面から枝管７の外周縁に沿うように螺旋状に構成されているので当該螺旋に沿うように、レリースワイヤ５の端部は上方に乗り越えてゆくこととなる。また本実施例では螺旋は枝管７の最上面まで構成されている為、レリースワイヤ５の端部が枝管７の螺旋に沿うように乗り越えてきた際、螺旋の終端部分、つまり枝管７の最上面まで乗り越え、螺旋形状の終了にともないレリースワイヤ５の端部はそのまま枝管７内に落下することとなり、簡単に枝管７内にレリースワイヤ５を挿入することができる。
また、排水部材６の枝管７内部底面には、図１乃至図４に示したように排水口２方向に向かって傾斜して構成されるガイド部６ａが立ち上げ構成されている。また、ガイド部６ａの傾斜には、図５に示したように溝部６ｂが構成されている。当該ガイド部６ａは、枝管７底面から排水口２にむかって、滑り台形状で構成されているから、レリースワイヤ５はガイド部６ａに当接しつつ上方に向かってゆくこととなる。また、ガイド部６ａには溝状の溝部６ｂが構成されているから、当該溝部６ｂがレールの役割を果たし、レリースワイヤ５は横方向にぶれたりずれたりすることなく、ピンポイントに排水口２方向にレリースワイヤ５を向かわせることが出来る。また、ガイド部６ａが構成されているため、レリースワイヤ５は簡単に排水口２方向へ向かうことが出来る。
また、該ガイド部６ａと枝管７側壁との間には、図５に示したように枝管７底壁から上方に隙間を構成して水抜き部６ｃを構成したので、枝管７内にガイド部６ａを構成しても死水（流れない水）が発生しない。
【００２３】
前記した遠隔操作式排水栓装置は以下の手順で取り付けられる。
排水口２に排水栓２ａを差し込み、排水部材６を浴槽１底面から排水栓２ａの雄ねじに挟み込むようにネジ締めしてゆくことで浴槽１に排水部材６を取り付ける。その後、浴槽１の上縁部に構成された開口に操作部４を取付、操作部４と排水部材６の枝管７を中空の軟質中空管体から成るチューブで接続し、操作部４からレリースワイヤ５を挿通する。そうすると、図８に示したようにレリースワイヤ５はホース９にガイドされながら排水部材６側までガイドされる。レリースワイヤ５の端部が排水部材６の枝管７に到達すると、図９に示したように枝管７の乗り越え機構７ａの螺旋形状とホース９内周に当接し、レリースワイヤ５を押し進める挿入の力に伴って、レリースワイヤ５先端が螺旋形状とホース９にガイドされながら上方に移動し、図１０に示したように螺旋形状の末端に到達すると、図１１のようにレリースワイヤ５の先端は下方に落下する。そうすると、螺旋の末端は枝管７の内周部分まで切り込みが入っているので、落下したレリースワイヤ５は必然的に枝管７内部に落下することができる。このように、枝管７の乗り越え機構７ａにより、レリースワイヤ５の挿通時の枝管７の肉厚による引っかかりを効果的に防止して、簡単に枝管７内部に挿通させることができる。
また、枝管７から排水本体部内に挿通されたレリースワイヤ５端部は、図２に示したようにガイド部６ａの傾斜によって斜め上方に進行し、ガイド部６ａの溝部６ｂ内をレールのようにして、左右にずれたりすることなく、ピンポイントに排水口２方向に向かうことができる。また、本実施例のように、排水部材６に排水トラップの機能を付与したような場合であれば排水トラップには風水深が必要なため、必然的に排水部材６自身の高さ（深さ）が必要となるが、このような場合においても、本実施例ではガイド部６ａを構成しているため排水口２の直下位置にレリースワイヤ５を配置することができ、施工が簡単になる。
そして、図３の状態から取付作業者が浴槽１の上方から排水口２内に飛び出したレリースワイヤ５をペンチ等の工具で掴み、浴槽１上方まで引き上げる。そして図４に示したように、ワイヤー受け部材８にレリースワイヤ５を取付け、ワイヤー受け部材８を排水栓２ａに取付け、弁体３を排水口２の中心位置に位置したレリースワイヤ５の先端に取付け、図１の状態にてレリースワイヤ５の取付は完了する。
【００２４】
上記のように取り付けた遠隔操作式排水栓装置は以下のような作動を行う。
ここで、前記した従来例の遠隔操作式排水栓装置の作用を説明する。操作部４を押動すると、レリースワイヤ５のインナーワイヤ５ｂがアウターチューブ５ａ内で前進し、インナーワイヤ５ｂの前進に伴ってレリースワイヤ５排水口２の弁体３が排水栓２ａから上昇する。そして、操作部４の保持機構によりインナーワイヤ５ｂの前進は保持される。また、操作部４を再度押動すると、レリースワイヤ５のインナーワイヤ５ｂがわずかに前進し、操作部４の保持機構の保持を解除することとなる。保持を解除されたインナーワイヤ５ｂは、リターンスプリングの弾発力により後退することとなる。そうすると、インナーワイヤ５ｂが後退した分、弁体３も共に降下し、弁体３が排水口２を閉口することができる。今後、このように操作部４の押動の繰り返しにより弁体３が上下動することによって、排水口２を遠隔的に開口／閉口することができる。
【００２５】
上記した遠隔操作式排水栓装置は、以下のような排水の流れとなる。
弁体３が降下して排水口２に着座している際は排水口２は閉塞しているため、浴槽１内に水を貯水することができる。そして、弁体３が上昇して排水口２が開栓すると、浴槽１内の水は排水栓２ａと排水口２を介して排水部材６内に流入する。その後、排水部材６内の排水は排水部内に構成している排水トラップを介して最終的には下水管へと排水されることとなる。以後、弁体３の上下動による排水口２の開口／閉口によって、浴槽１内の排水の貯水／排水を行うことが出来る。
【００２６】
本発明の実施例は以上のようであるが、本発明は上記実施例に限定されるものではなく、主旨を変更しない範囲において自由に変更が可能である。
例えば、上記実施例では、排水本体部の枝管７にガイド部６ａを構成しているが、図１４に示したように排水部材６の底部に構成したものでも構わない。
また、前記実施例では乗り上げ機構を螺旋構造によって構成しているが、これを傾斜としても構わない。
また、前記実施例では乗り上げ機構の螺旋形状の末端を枝管７の最上面としたが、これを枝管７の厚み以上の高さに設置すれば、レリースワイヤ５は簡単に枝管７の厚みを乗り越えること特ができので特に構わない。
また、上記実施例では枝管７にガイド部６ａを構成しているが、これを図１５に示したように枝管７自身を傾斜させて構成し、ガイド部６ａとして機能させても構わない。
また、上記実施例では枝管７にガイド部６ａを構成しているが、これを図１６に示したように、排水栓２ａにガイド部６ａを構成しても構わない。この時、排水栓２ａの方向性は予め位置決めをしなければならないが、位置決め手段としてはクイックファスナーや、係合止めなど、位置決め手段及び槽体１との接続方法については特に問わない。
【符号の説明】
【００２７】
１    槽体
２    排水口
２ａ  排水栓
３    弁体
４    操作部
５    レリースワイヤ
５ａ  アウターチューブ
５ｂ  インナーワイヤ
６    排水部材
６ａ  ガイド部
６ｂ  溝部
６ｃ  水抜き部
７    枝管
７ａ  乗り越え機構
８    ワイヤー受け部材
９    ホース
【図１】
0005651831.tif 000002
【図２】
0005651831.tif 000003
【図３】
0005651831.tif 000004
【図４】
0005651831.tif 000005
【図５】
0005651831.tif 000006
【図６】
0005651831.tif 000007
【図７】
0005651831.tif 000008
【図８】
0005651831.tif 000009
【図９】
0005651831.tif 000010
【図１０】
0005651831.tif 000011
【図１１】
0005651831.tif 000012
【図１２】
0005651831.tif 000013
【図１３】
0005651831.tif 000014
【図１４】
0005651831.tif 000015
【図１５】
0005651831.tif 000016
【図１６】
0005651831.tif 000017
【図１７】
0005651831.tif 000018